(57)【要約】【課題】マンション等の集合住宅用の屋外用ドア装置において、下枠上面を略フラットに形成した場合に簡単な構造で気密、水密性に優れ、かつ、ドアの運搬、施工時や開閉時の安全性が高いドア装置の提供を目的とする。【解決手段】ドアは、上下及び左右のフレームにて骨枠を形成し下部フレームにタイトバー支持部材を介して上下位置調整可能にタイトバー部材を配設しこのタイトバー部材下部にドア下部タイト材を取り付けた構造を有するとともに、ドアの表面パネルの下部を当該タイトバー支持部材の下部一部を包接するように内側に折り曲げてこのドアの骨枠に取り付けた構造からなり、下枠上面を略フラットに形成し、このドア下部タイト材を下枠上面に摺接させた。また、表面パネルの下部に折り返し部を形成し、ドアの骨枠に取り付けてもよい。【選択図】　図２
2004137808.tif 000002
【特許請求の範囲】
【請求項１】
上下枠及び左右の縦枠にて枠体を構成し、この開口部に開閉可能にドアが備えられたマンション等の集合住宅用屋外ドアにおいて、ドアは、上下及び左右のフレームにて骨枠を形成し下部フレームにタイトバー支持部材を介して上下位置調整可能にタイトバー部材を配設しこのタイトバー部材下部にドア下部タイト材を取り付けた構造を有するとともに、ドアの表面パネルの下部を当該タイトバー支持部材の下部一部を包接するように内側に折り曲げてこのドアの骨枠に取り付けた構造からなり、下枠上面を略フラットに形成し、このドア下部タイト材を下枠上面に摺接させたことを特徴とする下枠フラットのマンションドア装置。
【請求項２】
上下枠及び左右の縦枠にて枠体を構成し、この開口部に開閉可能にドアが備えられたマンション等の集合住宅用屋外ドアにおいて、ドアは、上下及び左右のフレームにて骨枠を形成し下部フレームにタイトバー支持部材を介して上下位置調整可能にタイトバー部材を配設しこのタイトバー部材下部にドア下部タイト材を取り付けた構造を有するとともに、ドアの表面パネルの下部に内側折り返し部を形成させて当該表面パネルをドアの骨枠に取り付けた構造からなり、下枠上面を略フラットに形成し、このドア下部タイト材を下枠上面に摺接させたことを特徴とする下枠フラットのマンションドア装置。
【請求項３】
略フラット面に形成した下枠上面の室内側よりに、下枠タイト材を配設し、ドア下部タイト材と、ドアが閉じた際に当接させたことを特徴とする請求項１記載の下枠フラットのマンションドア装置。
【請求項４】
略フラット面に形成した下枠上面の室内側よりに、下枠タイト材を配設し、ドア下部タイト材と、ドアが閉じた際に当接させたことを特徴とする請求項２記載の下枠フラットのマンションドア装置。
【発明の詳細な説明】
【０００１】
【発明の属する技術分野】
本発明は、マンション等の集合住宅の玄関等の屋外用に取り付けられる防音、防火タイプのドア装置に関する。
【０００２】
【従来の技術】
マンション等の集合住宅における玄関ドア等には、防音、防火性が要求されることから、鋼製（スチール製）ドアが広く採用されている。
また、玄関ドアのように屋内外の出入口として使用される屋外用ドアには、気密、水密性も要求され、特に、暴風雨時の強い風圧を伴った雨水の室内への浸入を防止するためには、雨水が流れ込むドアの下部の気密、水密性が重要であった。
【０００３】
そこで従来は、図１２に示すように下枠１１０に段差部を設け、この段差部の立上げ屋外側側面にタイト材１１６を取り付け、ドアが閉じた際にドア下部の室内側側面とこのタイト材を当接させたシール構造となっていた。
このように、下枠段差部の立上げ部にタイト材を取り付けることで、ドアの建付け調整高さバラツキを吸収していた。
【０００４】
また、マンション用玄関ドアにおいては、図１２（ロ）に示すように鋼製の骨フレーム２５１ｂの両面に表面パネル２５２、２５３を貼り付けたタイプの鋼製ドアが採用されていた。
このような鋼製ドアにおいては、表面パネルを所定の大きさに切断して使用されるが、エッジ部がそのまま露出した図１２（ロ）に示すようなタイプでは、ドアの取り付け作業時や開閉時に危険であるから、図１２（イ）に示すように表面パネル１５２、１５３の端部を内側に折り曲げて下部フレーム１５１ｂにスポット溶接等で接合したタイプのドアが多く採用されている。
【０００５】
一方、最近はマンション等の玄関ドアにおいても、バリアフリー化のニーズが高くなってきている。
その場合に、下枠上面をフラットに形成するとドアの下部と下枠の間に隙間が生じるので、この部分をシールする必要がある。
しかし、マンション等の集合住宅用に使用されるドアとしては、安価に製作出来るものでなけらばならない。
そこで、簡単な構造でドアの建付けバラツキが吸収できるように、ドア下部タイト材をビス等での取り付け部で上下に高さ調整出来るように下部フレームにタイトバー部材を取り付けたドアを試作評価した。
【０００６】
ところが、ドア下部にタイト材の上下位置調整可能にタイトバー部材を取り付けると、このタイトバー部材が上下するので表面パネルの下部が図１２（イ）に示した従来のように、内部にそのまま折り曲げられないことが明らかになった。鋼製の表面パネルの切断エッジ部をドア下部方向にそのまま露出させた状態では、従来の図１２（ロ）に示すものと同様に非常に危険である。
また、最近の表面パネルも薄肉化が図られ、端部の剛性が弱いことも判明した。
【０００７】
なお、下枠の上面をフラットに形成した場合のドア下部と下枠上面との間の隙間の水密性を確保する従来技術としては、特開平１０−３３１５４８号公報、特開平１０−３０６６６３号公報、特開平８−１３９４７号公報、特開平７−３２４５５３号公報、特開平９−２２８７５６号公報、特開平１０−９６３７７号公報等、数多く提案されているが、いずれもドア下部に装着されたタイト材がドアの開閉に従って上下させているものであり、構造が複雑で高価なドア装置となっている。
また、いずれもドアの表面パネルの端部は、エッジが下方向にそのまま露出されているものが図面に開示されているが、この部分が上述したように危険であった。
【０００８】
【特許文献１】
特開平１０−３３１５４８号公報
【特許文献２】
特開平１０−３０６６６３号公報
【特許文献３】
特開平８−１３９４７号公報
【特許文献４】
特開平７−３２４５５３号公報
【特許文献５】
特開平９−２２８７５６号公報
【特許文献６】
特開平１０−９６３７７号公報
【０００９】
【発明が解決しようとする課題】
本発明は、以上のような試作評価を経て完成されたもので、その解決しようとする課題は、マンション等の集合住宅用の屋外用ドア装置において、下枠上面を略フラットに形成した場合に、ドア下部のタイト材を開閉毎に上下させることなく、簡単な構造でありながら気密、水密性に優れ、かつ、ドアを躯体枠に取り付けるまでの運搬や施工時での取り扱い、及び開閉時の安全性が高いドア装置の提供を目的とする。
【００１０】
【課題を解決するための手段】
本発明は、上記目的を達成するために、上下枠及び左右の縦枠にて枠体を構成し、この開口部に開閉可能にドアが備えられたマンション等の集合住宅用屋外ドアにおいて、ドアは、上下及び左右のフレームにて骨枠を形成し下部フレームにタイトバー支持部材を介して上下位置調整可能にタイトバー部材を配設しこのタイトバー部材下部にドア下部タイト材を取り付けた構造を有するとともに、ドアの表面パネルの下部を当該タイトバー支持部材の下部一部を包接するように内側に折り曲げてこのドアの骨枠に取り付けた構造からなり、下枠上面を略フラットに形成し、このドア下部タイト材を下枠上面に摺接させたことを特徴とする下枠フラットのマンションドア装置とした。
【００１１】
このように、ドアの下部フレームにタイトバー支持部材を取り付けて、このタイトバー支持部材と上下位置調整可能に、ドア下部タイト材を取り付けたタイトバー部材を連結したので、ドアが基準より下がった状態で取り付けられたり、ドアが後で下がった場合には、タイトバー部材を上方に移動調整し、ドアが基準より上がった状態にて取り付けられたり、下枠が基準より下がった場合には、タイトバー部材を下方に移動調整して、ドア下部タイト材と下枠上面のシール当たり量を調整することが可能である。
なお、本発明においては、ドア下部タイト材の上下位置調整は、建付けバラツキを吸収するのが目的であり、ドアの開閉に合わせて上下させる必要はない。
【００１２】
また、ドアの屋外側と室内側の両面又はどちらか一方に取り付ける表面パネルの下部を内側に折り曲げ、タイトバー支持部材の下部の一部と包接するように連結したので、表面パネルのエッジ部が下方向に露出しなくなり、タイトバー部材は、表面パネルが連結されていない部分でタイトバー支持部材と連結することができる。
【００１３】
また、表面パネルの下部に内側折り返し部を形成させて、この内側折り返し部を表面パネルと骨枠（タイトバー支持部材）とで挟み込むようにドアの骨枠に取り付けても良い。
【００１４】
ドア下部タイト材は、下枠上面のフラット面と、ドアが閉じる際に摺接し、この部分の隙間が塞がれシールされる。
しかし、これだけでは暴風雨時のように風圧を伴った雨水の流れ込みには、室内への防水が困難なので、略フラット面に形成した下枠上面の室内側よりに、下から上方に突出させた下枠タイト材を配設し、ドアが閉じた際に、ドア下部タイト材の室内側側部とこの下枠タイト材の屋外側側部が当接するようにすると良い。
【００１５】
また上記のように、ドア下部タイト材と下枠タイト材とが側面当たりになっていると、ドアが風圧にて押されると、よりシール圧が高くなり、気密、水密性が良くなる。
さらに、この略フラットに形成された下枠上面に流れ込んだ雨水が速やかに排出されるように、下枠と縦枠が連結するコーナー部に排水口を設けるとよい。
また、このコーナー部排水口は、下枠の中空部を介して下枠の下部屋外排水口を経由して外気と連通させるとよい。
これにより、風に押し流されて来た雨水は、その空気の流れに沿って屋外へ排水される。
【００１６】
【発明の実施の形態】
図１に本発明に係る下枠フラットのマンションの屋外用ドア装置の縦断面図を示し、図３に横断面図を示す。
また、図２が下枠付近の拡大図で、図４が下枠コーナー部の拡大図である。
マンション等の集合住宅においては、例えば図１１に示すように、各階のフロアや通路に面してそれぞれの家庭の玄関ドアが取り付けられている。
このようなドアには、防火性と防音性が要求されるとともに、外部からの風雨を遮断する気密、水密性が要求される。
【００１７】
図１の縦断面図に示すように、躯体１にアンカーボルト１ａ等で上枠２０が取り付けられ、シールコーキング１ｂされている。
図３に示すように左縦枠３０及び右縦枠４０も躯体１にアンカーボルト１ａ等で取り付けられ、外装材７との間がシールコーキング１ｂされている。
図１に示すように、上枠２０の室内側は天板３に連結され、図３に示すように左右の縦枠は、側板７ａ、７ｂに連結納められている。
また、上枠には上枠タイト材２１、左右の縦枠には縦タイト材３１、４１がそれぞれ室内から室外側に向けて突出するように配設され、ドアが閉じた際にドア面に当接してシールされる。
また、図３に示すようにドアの縦方向の一方がヒンジ５９を介して縦枠に取り付けられ、他方に設けた取手（図示省略）で開閉される。
【００１８】
図１及び図２に示すように、下枠１０の上面は略フラットに形成され、フラット面の室内側よりに、下から上方に向けて突出するように弾性材からなる下枠タイト材１６が取り付けられている。
この下枠タイト材は、図２に示すように下枠の溝に嵌合した構造になっていて施工後も簡単に交換ができる。
下枠は、アルミニウム合金押出材等で成形され、下枠ベース部材１２と上面部材１１とで構成され、雨水を流し込む排水中空部１３とその下部に屋外排水口１５を設けた案内中空部１４が形成されている。
下枠は、躯体基礎２にアンカーボルト２ａ等で固定され、屋外（室外）側は排水用のグレーチング５が配設され、通路側床面６と下枠の上面がほぼ水平に配置されている。
室内側も玄関床面４とほぼ水平に配置されている。
なお、図４に示すように下枠のコーナー部には、下枠上面排水口１７が形成され、下枠の排水中空部へ排水される。
排水中空部１３には、中空部排水口１３ａが設けられ、案内中空部１４の屋外排水口１５を介して外気と連通している。
屋外排水口１５には、逆止片１５ａが取り付けられている。
また、図１０に示すように上面部材１１に排水用のスリット１１ａを設けると後述するドア下部の屋外よりのタイト材５５ｂ部より雨水がこのドア下部に浸入しても、この上面部材に設けたスリットから下枠中空部へ排水できる。
【００１９】
ドア５０は、図１及び図３に示すように鋼製の上部フレーム５１ａ、下部フレーム５１ｂ、左フレーム５１ｃ、右フレーム５１ｄで骨枠（骨フレーム）を形成し、図２の拡大図に示すようにドアの両面に表面パネル５２、５３が取り付けられている。
下部フレーム５１ｂの下部に、タイトバー支持部材５４がビス５７等で固定され、このタイトバー支持部材５４に上下位置調整可能にタイトバー部材５５が連結されている。
その組立図を図６に示すように、タイトバー支持部材５４に長孔５４ａを明け、タイトバー部材５５の取付孔５５ｃとビス５６等で連結することで上下位置調整可能になっている。
タイトバー部材の端部には、端部ピース５８が取り付けられ、左右のフレーム５１ｃ、５１ｄと表面パネル５２、５３との間にフレーム端部ピース５９が挿入取り付けられている。
図７に、この表面パネル取り付け前（ロ）と取り付け後（イ）の斜視図を示す。
【００２０】
図２に示すように、表面パネル５２、５３の下部はＬ字型に折り曲げられ、タイトバー支持部材５４の底部コーナー部に包接するようにして、リベット部材５２ｂ、５３ｂ等で取り付けられている。
タイトバー部材５５の下部には、ドア下部タイト材５５ａ、５５ｂが取り付けられ、下枠の上面に摺接している。
なお、室内側のドア下部タイト材５５ａの室内側側部は、下枠タイト材１６の室外側側部と、ドアが閉じた際に当接する。
【００２１】
図５にドアの建付け状態に合わせてタイトバー部材５５を上下に調整した例を示す。
中央の（ロ）が基準位置であり、（イ）はドアが下がった場合、（ハ）がドアが上部位置になった場合の状態を示す。
【００２２】
表面パネルのドア面への取り付け方法の他の例を図８及び図９に示す。
ドアの下部フレーム５１ｂに、タイトバー支持部材Ａ５４を固定し、これに上下位置調整可能にタイトバー部材Ａ５５が連結されている。
表面パネルＡ５２、Ａ５３の下端に、折り返し部Ａ５２ａ、Ａ５３ａを形成し、この折り返し部Ａ５２ａ、Ａ５３ａを表面パネルとタイトバー支持部材Ａ５４とで挟み込むようにして表面パネルをドアの骨枠に取り付けられている。
【００２３】
【発明の効果】
本発明においては、ドア下部フレームにタイトバー支持部材を介して、上下位置調整可能にタイトバー部材を連結し、このタイトバー部材の下部に上から下方向に突出させたドア下部タイト材を取り付けたので、下枠上面を略フラットに形成した場合に、ドアの下部端面と下枠上面との隙間のバラツキに対して、容易に建付け調整が可能であるとともに、ドア下部タイト材と下枠タイト材を側部当接させたので、風圧によりシール圧が上昇し、気密、水密性に優れる。
このように、非常に簡単な構造でありながら、建付け調整性、気密、水密性が容易に確保できるので従来技術のように複雑な構造が不要である。
従って、高品質を確保しつつ、非常に安価に製作できる。
また、表面パネルの下部端面に折り曲げ部、あるいは折り返し部を形成したので、この表面パネルのエッジの露出を防止出来る。
【図面の簡単な説明】
【図１】本発明に係るドア装置の縦断面図を示す。
【図２】下枠付近の拡大図を示す。
【図３】本発明に係るドア装置の横断面図を示す。
【図４】ドアコーナー部の拡大図を示す。
【図５】ドアの建付け調整例を示す。
【図６】ドアの組立斜視図を示す。
【図７】表面パネルの取付け前後の斜視図を示す。
【図８】表面パネルのドア面への取り付けの他の例を示す。
【図９】下枠付近の拡大図を示す。
【図１０】下枠の上面部材にスリットを設けた場合の斜視図を示す。
【図１１】マンションの通路側（玄関ドア）斜視図を示す。
【図１２】従来のドア構造例を示す。
【符号の説明】
１　　　躯体
１ａ　　アンカーボルト
１ｂ　　シールコーキング
２　　　躯体基礎
２ａ　　アンカーボルト
２ｂ　　シールコーキング
３　　　天板
４　　　玄関床面
５　　　グレーチング
６　　　通路床面
６ａ　　排水溝
７　　　外装材
７ａ、７ｂ　側板
１０　　下枠
１１　　上面部材
１１ａ　上面部材のスリット
１２　　下枠ベース部材
１３　　排水中空部
１３ａ　中空部排水口
１４　　案内中空部
１５　　屋外排水口
１５ａ　逆止片
１６　　下枠タイト材
１７　　下枠上面排水口
２０　　上枠
２１　　上枠タイト材
３０　　左縦枠
３１　　左縦タイト材
４０　　右縦枠
４１　　右縦タイト材
５０　　ドア
５１ａ　上部フレーム
５１ｂ　下部フレーム
５１ｃ　左フレーム
５１ｄ　右フレーム
５２、５３　表面パネル
５２ａ、５３ａ　表面パネル折り曲げ部
Ａ５２、Ａ５３　表面パネル
Ａ５２ａ、Ａ５３ａ　表面パネル折り返し部
５２ｂ、５３ｂ　　　表面パネル取付け部材（リベット）
５４、Ａ５４　　　　タイトバー支持部材
５５、Ａ５５　　　　タイトバー部材
５５ａ、５５ｂ　　　ドア下部タイト材
５６　　係止部材（ビス）
５７　　固定部材（ビス）
５８　　端部ピース
５９　　フレーム端部ピース
【図１】
2004137808.tif 000003
【図２】
2004137808.tif 000004
【図３】
2004137808.tif 000005
【図４】
2004137808.tif 000006
【図５】
2004137808.tif 000007
【図６】
2004137808.tif 000008
【図７】
2004137808.tif 000009
【図８】
2004137808.tif 000010
【図９】
2004137808.tif 000011
【図１０】
2004137808.tif 000012
【図１１】
2004137808.tif 000013
【図１２】
2004137808.tif 000014